(57)【特許請求の範囲】
【請求項１】
中央孔を包囲する記録面部が上記中央孔を取り巻く同心円状に配された複数の環状記録ゾーンに区分され、該複数の環状記録ゾーンの夫々に、各環状記録ゾーンに対する光ビームによる情報記録に際しての光ビームパワー制御に用いられるべき基準値情報を含むゾーン情報が記録されるゾーン情報記録領域が設けられるとともに、該ゾーン情報記録領域のうちの一つが、上記記録面部に対する光ビームによる情報記録に際しての光ビームパワー制御に用いられるべき標準値情報を含む媒体情報が上記記録面部についての実質的な使用前に記録された部分を含むものとされて成るディスク状記録媒体が装着されるディスク装着部と、
該ディスク装着部に装着された上記ディスク状記録媒体を上記中央孔の中心部を回転中心として回転させるディスク回転駆動部と、
上記ディスク装着部に装着されて上記ディスク回転駆動部により回転せしめられている上記ディスク状記録媒体に光ビームを入射させ、上記ディスク状記録媒体における環状記録ゾーンに情報を記録する情報記録及び上記ディスク状記録媒体における環状記録ゾーンに記録された情報を読み取って読取出力信号を送出する情報読取りを行う光学ヘッド部と、
上記光学ヘッド部から上記ディスク状記録媒体に入射する光ビームのパワーを調整する光ビームパワー制御を、上記ディスク状記録媒体における複数の環状記録ゾーンのいずれにおけるゾーン情報記録領域にもゾーン情報が記録されていず、上記光学ヘッド部から送出される読取出力信号に基づいて再生される基準値情報が得られない場合には、上記光学ヘッド部から送出される読取出力信号に基づいて再生される標準値情報を用いて行い、また、上記ディスク状記録媒体における複数の環状記録ゾーンのうちの少なくとも一つにおけるゾーン情報記録領域にゾーン情報が記録されていて、上記光学ヘッド部から送出される読取出力信号に基づいて再生される基準値情報が得られる場合には、該基準値情報を用いて行うパワー制御部と、
上記光学ヘッド部に、上記パワー制御部が上記標準値情報を用いて光ビームパワー制御を行うもとでの、上記ディスク状記録媒体における環状記録ゾーンに対する試し書き記録、あるいは、上記パワー制御部が上記基準値情報を用いて光ビームパワー制御を行うもとでの、上記ディスク状記録媒体における複数の環状記録ゾーンのうちのデータ情報の記録に使用されたものに対する試し書き記録を行う状態をとらせる動作状態制御部と、
を備えて構成される情報記録再生装置。
【請求項２】
上記動作状態制御部が、上記光学ヘッド部に、上記試し書き記録により上記環状記録ゾーンに記録された情報を読み取る試し書き情報読取り状態、さらには、該試し書き情報読取り状態のもとで得られる読取出力信号の状態に応じたものとされる新たな基準値情報を含むゾーン情報を、上記ディスク状記録媒体に設けられたゾーン情報記録領域に記録するゾーン記録状態をとらせることを特徴とする請求項１記載の情報記録再生装置。
【請求項３】
上記ディスク状記録媒体に記録されるゾーン情報が、上記基準値情報に加えて、該基準値情報に付随する媒体温度情報を含むとともに、上記ディスク状記録媒体に記録される媒体情報が、上記標準値情報に加えて、上記媒体温度に応じた補正に用いられる温度補正情報を含み、上記動作状態制御部が、上記温度補正情報に基づいて上記基準値情報を補正することを特徴とする請求項１記載の情報記録再生装置。
【請求項４】
上記ディスク状記録媒体における媒体情報が記録された部分を含むゾーン情報記録領域のうちの一つが、上記ゾーン情報及び媒体情報に加えて、上記環状記録ゾーンに設けられたゾーン情報記録領域における基準値情報の記録の有無をあらわす記録状態情報が記録されるものとされ、上記動作状態制御部による試し書き記録処理が、上記記録状態情報が利用されて行われることを特徴とする請求項１記載の情報記録再生装置。
【請求項５】
上記パワー制御部が、上記光学ヘッド部により試し書き記録が行われるに際しての光ビームパワー制御を、上記光学ヘッド部から送出される読取出力信号に基づいて再生された標準値情報もしくは基準値情報を複数段階に設定される異なった値を順次あらわすものに変化させて用いることにより行うものとされることを特徴とする請求項１記載の情報記録再生装置。
【請求項６】
上記パワー制御部が、上記試し書き情報読取り状態におかれた上記光学ヘッド部から送出される読取出力信号に基づいて、上記光学ヘッド部が試し書き記録を行う状態におかれたもとで上記光学ヘッド部からディスク状記録媒体に入射する光ビームの最適記録パワー状態を検知し、該最適記録パワー状態を達成する光ビームパワー制御に対応する、複数段階に設定される異なった値のうちの一つをあらわす標準値情報もしくは基準値情報を、新たな基準値情報となすものとされることを特徴とする請求項１記載の情報記録再生装置。
【請求項７】
中央孔を包囲する記録面部が上記中央孔を取り巻く同心円状に配された複数の環状記録ゾーンに区分され、該複数の環状記録ゾーンの夫々に、各環状記録ゾーンに対する光ビームによる情報記録に際しての光ビームパワー制御に用いられるべき基準値情報を含むゾーン情報が記録されるゾーン情報記録領域が設けられるとともに、該ゾーン情報記録領域のうちの一つが、上記記録面部に対する光ビームによる情報記録に際しての光ビームパワー制御に用いられるべき標準値情報を含む媒体情報が上記記録面部についての実質的な使用前に記録された部分を含むものとされて成るディスク状記録媒体が装着されるディスク装着部と、
該ディスク装着部に装着された上記ディスク状記録媒体を上記中央孔の中心部を回転中心として回転させるディスク回転駆動部と、
上記ディスク装着部に装着されて上記ディスク回転駆動部により回転せしめられている上記ディスク状記録媒体に光ビームを入射させ、上記ディスク状記録媒体における環状記録ゾーンに情報を記録する情報記録及び上記ディスク状記録媒体における環状記録ゾーンに記録された情報を読み取って読取出力信号を送出する情報読取りを行う光学ヘッド部と、
上記光学ヘッド部から上記ディスク状記録媒体に入射する光ビームのパワーを調整する光ビームパワー制御を、上記ディスク状記録媒体の複数の環状記録ゾーンのいずれにおけるゾーン情報記録領域にもゾーン情報が記録されていず、上記光学ヘッド部から送出される読取出力信号に基づいて再生される基準値情報が得られない場合には、上記光学ヘッド部から送出される読取出力信号に基づいて再生される標準値情報があらわす値を所定の範囲内において順次変化させて行い、また、上記ディスク状記録媒体の複数の環状記録ゾーンのうちの少なくとも一つにおけるゾーン情報記録領域にゾーン情報が記録されていて、上記光学ヘッド部から送出される読取出力信号に基づいて再生される基準値情報が得られる場合には、該基準値情報があらわす値を上記所定の範囲より小なる範囲内において順次変化させて行うパワー制御部と、
該パワー制御部による上記基準値情報もしくは上記基準値情報が用いられて光ビームパワー制御が行われるもとで、上記光学ヘッド部に上記ディスク状記録媒体における環状記録ゾーンに対する試し書き記録を行わせる動作状態制御部と、
を備えて構成される情報記録再生装置。
【請求項８】
中央孔を包囲する記録面部が上記中央孔を取り巻く同心円状に配された複数の環状記録ゾーンに区分され、該複数の環状記録ゾーンの夫々に、各環状記録ゾーンに対する光ビームによる情報記録に際しての光ビームパワー制御に用いられるべき基準値情報を含むゾーン情報が記録されるゾーン情報記録領域が設けられるとともに、該ゾーン情報記録領域のうちの一つが、上記記録面部に対する光ビームによる情報記録に際しての光ビームパワー制御に用いられるべき標準値情報を含む媒体情報が上記記録面部についての実質的な使用前に記録された部分を含むものとされて成るディスク状記録媒体が装着されるディスク装着部と、
該ディスク装着部に装着された上記ディスク状記録媒体を上記中央孔の中心部を回転中心として回転させるディスク回転駆動部と、
上記ディスク装着部に装着されて上記ディスク回転駆動部により回転せしめられている上記ディスク状記録媒体に光ビームを入射させ、上記ディスク状記録媒体における環状記録ゾーンに情報を記録する情報記録及び上記ディスク状記録媒体における環状記録ゾーンに記録された情報を読み取って読取出力信号を送出する情報読取りを行う光学ヘッド部と、
上記光学ヘッド部から上記ディスク状記録媒体に入射する光ビームのパワーを調整する光ビームパワー制御を、上記ディスク状記録媒体の複数の環状記録ゾーンのいずれにおけるゾーン情報記録領域にもゾーン情報が記録されていず、上記光学ヘッド部から送出される読取出力信号に基づいて再生される基準値情報が得られない場合には、上記光学ヘッド部から送出される読取出力信号に基づいて再生される標準値情報があらわす値を複数段階をもって変化させて行い、また、上記ディスク状記録媒体の複数の環状記録ゾーンのうちの少なくとも一つにおけるゾーン情報記録領域にゾーン情報が記録されていて、上記光学ヘッド部から送出される読取出力信号に基づいて再生される基準値情報が得られる場合には、該基準値情報があらわす値を上記複数段階より少なる段階をもって変化させて行うパワー制御部と、
該パワー制御部による上記基準値情報もしくは上記基準値情報が用いられて光ビームパワー制御が行われるもとで、上記光学ヘッド部に上記ディスク状記録媒体における環状記録ゾーンに対する試し書き記録を行わせる動作状態制御部と、
を備えて構成される情報記録再生装置。
【請求項９】
中央孔を包囲する記録面部が上記中央孔を取り巻く同心円状に配された複数の環状記録ゾーンに区分され、該複数の環状記録ゾーンの夫々に、各環状記録ゾーンに対する光ビームによる情報記録に際しての光ビームパワー制御に用いられるべき基準値情報を含むゾーン情報が記録されるゾーン情報記録領域が設けられるとともに、該ゾーン情報記録領域のうちの一つが、上記記録面部に対する光ビームによる情報記録に際しての光ビームパワー制御に用いられるべき標準値情報を含む媒体情報が上記記録面部についての実質的な使用前に記録された部分を含むものとされ、さらに、上記環状記録ゾーンの夫々に試し書き用記録部が設けられて成るディスク状記録媒体が装着されるディスク装着部と、該ディスク装着部に装着された上記ディスク状記録媒体を上記中央孔の中心部を回転中心として回転させるディスク回転駆動部と、上記ディスク装着部に装着されて上記ディスク回転駆動部により回転せしめられている上記ディスク状記録媒体に光ビームを入射させ、上記ディスク状記録媒体における環状記録ゾーンに情報を記録する情報記録及び上記ディスク状記録媒体における環状記録ゾーンに記録された情報を読み取って読取出力信号を送出する情報読取りを行う光学ヘッド部とを備えて構成される情報記録再生装置を用い、
上記ディスク状記録媒体の複数の環状記録ゾーンのいずれにおけるゾーン情報記録領域にもゾーン情報が記録されていず、上記光学ヘッド部から送出される読取出力信号に基づいて再生される基準値情報が得られない場合には、上記光学ヘッド部から上記ディスク状記録媒体に入射する光ビームのパワーを調整する光ビームパワー制御を上記光学ヘッド部から送出される読取出力信号に基づいて再生される標準値情報を用いて行うもとで、上記複数の環状記録ゾーンに設けられた試し書き用記録部に対する試し書き記録を実行し、また、上記複数の環状記録ゾーンのうちの少なくとも一つにおけるゾーン情報記録領域にゾーン情報が記録されていて、上記光学ヘッド部から送出される読取出力信号に基づいて再生される基準値情報が得られる場合には、上記光ビームパワー制御を上記光学ヘッド部から送出される読取出力信号に基づいて再生される基準値情報を用いて行うもとで、上記複数の環状記録ゾーンのうちのデータ情報の記録に使用されたものに設けられた試し書き用記録部に対する試し書き記録を実行することを特徴とする情報記録再生装置による試し書き方法。
【請求項１０】
中央孔を包囲する記録面部が上記中央孔を取り巻く同心円状に配された複数の環状記録ゾーンに区分され、該複数の環状記録ゾーンの夫々に、各環状記録ゾーンに対する光ビームによる情報記録に際しての光ビームパワー制御に用いられるべき基準値情報を含むゾーン情報が記録されるゾーン情報記録領域が設けられるとともに、該ゾーン情報記録領域のうちの一つが、上記記録面部に対する光ビームによる情報記録に際しての光ビームパワー制御に用いられるべき標準値情報を含む媒体情報が上記記録面部についての実質的な使用前に記録された部分を含むものとされ、さらに、上記環状記録ゾーンの夫々に試し書き用記録部が設けられて成るディスク状記録媒体が装着されるディスク装着部と、該ディスク装着部に装着された上記ディスク状記録媒体を上記中央孔の中心部を回転中心として回転させるディスク回転駆動部と、上記ディスク装着部に装着されて上記ディスク回転駆動部により回転せしめられている上記ディスク状記録媒体に光ビームを入射させ、上記ディスク状記録媒体における環状記録ゾーンに情報を記録する情報記録及び上記ディスク状記録媒体における環状記録ゾーンに記録された情報を読み取って読取出力信号を送出する情報読取りを行う光学ヘッド部とを備えて構成される情報記録再生装置を用い、
上記ディスク状記録媒体の複数の環状記録ゾーンのいずれにおけるゾーン情報記録領域にもゾーン情報が記録されていず、上記光学ヘッド部から送出される読取出力信号に基づいて再生される基準値情報が得られない場合には、上記光学ヘッド部から上記ディスク状記録媒体に入射する光ビームのパワーを調整する光ビームパワー制御を上記光学ヘッド部から送出される読取出力信号に基づいて再生される標準値情報があらわす値を所定の範囲内において順次変化させて行うもとで、上記複数の環状記録ゾーンに設けられた試し書き用記録部に対する試し書き記録を実行し、また、上記複数の環状記録ゾーンのうちの少なくとも一つにおけるゾーン情報記録領域にゾーン情報が記録されていて、上記光学ヘッド部から送出される読取出力信号に基づいて再生される基準値情報が得られる場合には、上記光ビームパワー制御を該基準値情報があらわす値を上記所定の範囲より小なる範囲内において順次変化させて行うもとで、上記複数の環状記録ゾーンのうちのデータ情報の記録に使用されたものに設けられた試し書き用記録部に対する試し書き記録を実行することを特徴とする情報記録再生装置による試し書き方法。
【発明の詳細な説明】
【０００１】
【産業上の利用分野】
本発明は、中央孔が設けられるとともにその中央孔を包囲する記録面部が中央孔を取り巻く同心円状に配された複数の環状記録ゾーンに区分され、各環状記録ゾーンに対する情報の記録及び各環状記録ゾーンに記録された情報の読取りが行われるものとされるディスク状記録媒体が装着されて用いられるもとでの情報の記録及び再生を行う情報記録再生装置及び情報記録再生装置による試し書き方法に関する。
【０００２】
【従来の技術】
情報記録媒体としてのディスクにおいて、ディスクとして形成された後にも光ビームを用いて情報記録を行うことができるようにされた、所謂、書込み可能なディスクが実用に供されている。このような書込み可能なディスクは、通常、その基体表面の中央孔の周囲に記録面部が設けられ、その記録面部に情報が中央孔を取り巻く多数の環状記録トラックが形成される状態をもって記録される。
【０００３】
このような記録面部を有したディスクにあっては、情報記録再生装置に設けられたディスク装着部に中央孔が係合せしめられる状態をもって装着され、情報記録再生装置により、所定の回転速度をもって回転駆動される状態のもとで、記録面部に光ビームが入射せしめられ、その光ビームによる記録面部に対する情報記録及び記録面部からの情報読取りが行われる。その際、ディスクが一定の回転速度をもって回転駆動されると、記録面部において、ディスクの回転中心からの半径方向の距離が相違する部位がディスクの回転に伴う周速が相違するものとなる事態が生じ、ディスクの回転中心からの距離が大である部位程ディスクの回転に伴う周速が大とされることになる。
【０００４】
ディスクの記録面部における位置による周速の相違は、記録面部に対する情報記録動作及び記録面部からの情報読取り動作に大なる影響を及ぼすことになる。それゆえ、ディスクの記録面部を、中央孔を取り巻く同心円状に配されて各々のディスクの半径方向の幅が比較的小とされる複数の環状記録ゾーンに区分し、各環状記録ゾーンを記録再生領域単位としての情報記録及び情報読取りを行うようにして、環状記録面部における位置による周速の相違が及ぼす情報記録動作及び情報読取り動作に対する影響の低減を図ることが提案されている。
【０００５】
このような同心円状に配される複数の環状記録ゾーンに区分されるディスクの記録面部に対して光ビームによる情報記録が行われる場合、記録面部に入射せしめられる光ビームのパワーについて、各ディスクに固有の、さらに詳細には、各ディスクの記録面部における複数の環状記録ゾーンの夫々毎の、最適記録パワーが存在することになり、記録面部に対する情報記録は、光ビームが最適記録パワーを有するものとされるもとで行われることが望まれるところとなる。即ち、光ビームが最適記録パワーを有するもとで記録面部に対する情報記録が行われた場合には、記録面部に記録された情報が光ビームによって読み取られて読取出力信号が形成される際に、極めて良質な読取出力信号が得られることになるのである。
【０００６】
斯かる光ビームについての最適記録パワーは、ディスク毎に相違するのみならず、同一のディスクについても、周囲温度の変化，使用回数の増大等に応じて変化することになる。例えば、ディスクの記録面部に対する記録動作中にディスクの周囲温度が図７のグラフ（縦軸：周囲温度，横軸：動作時間）に示される如くに上昇していく場合、ディスクの記録面部に入射せしめられる光ビームについての最適記録パワーは、ディスクの周囲温度に伴って、図８のグラフ（縦軸：最適記録パワー，横軸：動作時間）に示される如くに降下していく。また、ディスクの記録面部についての情報記録のための使用回数と光ビームについての最適記録パワーとの関係は、例えば、図９のグラフ（縦軸：最適記録パワー，横軸：使用回数）に示される如くに、使用回数が増大していくに伴って、ディスクの記録面部に入射せしめられる光ビームについての最適記録パワーが降下していくものとされる。
【０００７】
このようなもとで、同心円状に配される複数の環状記録ゾーンに区分されるディスクの記録面部に対して光ビームによる情報記録を行うにあたり、記録面部に入射せしめられる光ビームを最適記録パワーを有するものとすべく、正規の情報の記録動作に先立って、各環状記録ゾーンに試し書き用の特定情報を記録する試し書き記録を行い、その試し書き記録の結果に基づいて、正規の情報の記録動作に際して記録面部に入射せしめられる光ビームについてのパワー制御を行うようにすることも提案されている。
【０００８】
斯かる試し書き記録処理が行われる場合には、試し書き記録自体が、試し書き用の特定情報が各環状記録ゾーンにそれに入射せしめられる光ビームのパワーが種々に変えられるもとで記録されることにより行われる。続いて、試し書き記録の後、各環状記録ゾーンからそれに試し書き記録により記録された特定情報が読み取られて読取出力信号が形成され、その読取出力信号に基づいて、光ビームが最適記録パワーを有するもとで試し書き記録が行われた最適記録パワー状態が検出され、その最適記録パワー状態が得られたときの光ビームに対するパワー制御態様が記憶される。そして、各環状記録ゾーンに正規の情報を記録するにあたって、各環状記録ゾーンに入射せしめられる光ビームのパワー制御が、試し書き記録の結果記憶されたパワー制御態様をもって行われるようにされる。
【０００９】
【発明が解決しようとする課題】
上述の如くのディスクについての試し書き記録処理は、従来においては、例えば、ディスク装着部に装着されるディスクが交換されるとき，ディスクが装着されたディスク装着部を有する情報記録再生装置の電源投入がなされたとき等において行われ、さらには、所定の期間が経過する毎に行われている。また、試し書き記録処理が実行される際には、ディスクの記録面部に設けられた複数の環状記録ゾーンの全てについて順次行われるようにされている。
【００１０】
それゆえ、従来にあっては、各ディスクに対して行われる試し書き記録処理の回数が比較的多数とされ、しかも、１回の試し書き記録処理に要される時間が比較的長いものとされてしまい、ディスクに対する情報記録を効率良く行うことが困難とされることになる。さらに、ディスクの記録面部に設けられた複数の環状記録ゾーンの夫々において、試し書き記録が行われる部分とそれ以外の情報記録がなされる部分とが各々の書換え使用回数が異なるものとされることになるので、両者間の書換え使用回数の差が大となって、各々における光ビームの最適記録パワーが異なる結果となり、各環状記録ゾーンについての試し書き記録処理により求められた、光ビームを最適記録パワーを有するものとするためのパワー制御態様が、その環状記録ゾーンにおける正規の情報の記録がなされる部分に対して適合しないことになる事態がまねかれてしまう虞もある。
【００１１】
斯かる点に鑑み、本発明は、中央孔を包囲する記録面部が中央孔を取り巻く同心円状に配された複数の環状記録ゾーンに区分され、各環状記録ゾーンに対する光ビームによる情報の記録及び各環状記録ゾーンに記録された情報の光ビームによる読取りが行われるディスク状記録媒体についての、環状記録ゾーンに対する情報の記録に際して行われる試し書き記録処理の回数の低減と１回の試し書き記録処理に要される時間の短縮とを図ることができ、さらに、環状記録ゾーンにおける試し書き記録が行われる部分とそれ以外の情報記録がなされる部分との間の書換え使用回数の差を低減することができる情報記録再生装置及び情報記録再生装置による試し書き方法を提供することを目的とする。
【００１２】
【課題を解決するための手段】
上述の目的を達成すべく、本発明に係る情報記録再生装置は、中央孔を包囲する記録面部が中央孔を取り巻く同心円状に配された複数の環状記録ゾーンに区分され、複数の環状記録ゾーンの夫々に、それに対する光ビームによる情報記録に際しての光ビームパワー制御に用いられるべき基準値情報を含むゾーン情報が記録されるゾーン情報記録領域が設けられるとともに、ゾーン情報記録領域のうちの一つが、記録面部に対する光ビームによる情報記録に際しての光ビームパワー制御に用いられるべき標準値情報を含む媒体情報が当該記録面部についての実質的な使用前に記録された部分を含むものとされて成るディスク状記録媒体が装着されるディスク装着部と、ディスク装着部に装着されたディスク状記録媒体を中央孔の中心部を回転中心として回転させるディスク回転駆動部と、ディスク装着部に装着されてディスク回転駆動部により回転せしめられているディスク状記録媒体に光ビームを入射させ、ディスク状記録媒体における環状記録ゾーンに情報を記録する情報記録及びディスク状記録媒体における環状記録ゾーンに記録された情報を読み取って読取出力信号を送出する情報読取りを行う光学ヘッド部と、光学ヘッド部からディスク状記録媒体に入射する光ビームのパワーを調整する光ビームパワー制御を、ディスク状記録媒体の複数の環状記録ゾーンのいずれにおけるゾーン情報記録領域にもゾーン情報が記録されていず、光学ヘッド部から送出される読取出力信号に基づいて再生される基準値情報が得られない場合には、光学ヘッド部から送出される読取出力信号に基づいて再生される標準値情報を用いて行い、また、ディスク状記録媒体の複数の環状記録ゾーンのうちの少なくとも一つにおけるゾーン情報記録領域にゾーン情報が記録されていて、光学ヘッド部から送出される読取出力信号に基づいて再生される基準値情報が得られる場合には、その基準値情報を用い行うパワー制御部と、光学ヘッド部に、パワー制御部が標準値情報を用いて光ビームパワー制御を行うもとでの、ディスク状記録媒体における環状記録ゾーンに対する試し書き記録、あるいは、パワー制御部が基準値情報を用いて光ビームパワー制御を行うもとでの、ディスク状記録媒体における複数の環状記録ゾーンのうちのデータ情報の記録に使用されたものに対する試し書き記録を行う状態をとらせる動作状態制御部と、を備えて構成される。
【００１３】
また、本発明に係る情報記録再生装置による試し書き方法は、中央孔を包囲する記録面部が中央孔を取り巻く同心円状に配された複数の環状記録ゾーンに区分され、複数の環状記録ゾーンの夫々に、各環状記録ゾーンに対する光ビームによる情報記録に際しての光ビームパワー制御に用いられるべき基準値情報を含むゾーン情報、及び、環状記録ゾーンがデータ情報の記録に使用されたか否かをあらわす使用状態情報が記録されるゾーン情報記録領域が設けられるとともに、ゾーン情報記録領域のうちの一つが、記録面部に対する光ビームによる情報記録に際しての光ビームパワー制御に用いられるべき標準値情報を含む媒体情報が記録面部についての実質的な使用前に記録された部分を含むものとされ、さらに、環状記録ゾーンの夫々に試し書き用記録部が設けられて成るディスク状記録媒体が装着されるディスク装着部と、ディスク装着部に装着されたディスク状記録媒体を中央孔の中心部を回転中心として回転させるディスク回転駆動部と、ディスク装着部に装着されてディスク回転駆動部により回転せしめられているディスク状記録媒体に光ビームを入射させ、ディスク状記録媒体における環状記録ゾーンに情報を記録する情報記録及びディスク状記録媒体における環状記録ゾーンに記録された情報を読み取って読取出力信号を送出する情報読取りを行う光学ヘッド部とを備えて構成される情報記録再生装置を用い、ディスク状記録媒体の複数の環状記録ゾーンのいずれにおけるゾーン情報記録領域にもゾーン情報が記録されていず、光学ヘッド部から送出される読取出力信号に基づいて再生される基準値情報が得られない場合には、光学ヘッド部からディスク状記録媒体に入射する光ビームのパワーを調整する光ビームパワー制御を光学ヘッド部から送出される読取出力信号に基づいて再生された標準値情報を用いて行うもとで、複数の環状記録ゾーンに設けられた試し書き用記録部に対する試し書き記録を実行し、また、複数の環状記録ゾーンのうちの少なくとも一つにおけるゾーン情報記録領域にゾーン情報が記録されていて、光学ヘッド部から送出される読取出力信号に基づいて再生される基準値情報が得られる場合には、光ビームパワー制御をその基準値情報う用いて行うもとで、複数の環状記録ゾーンのうちのデータ情報の記録に使用されたものに設けられた試し書き用記録部に対する試し書き記録を実行するものとされる。
【００１４】
【作用】
上述の如くに構成される本発明に係る情報記録再生装置あるいは情報記録再生装置による試し書き方法においては、ディスク装着部に装着されてディスク回転駆動部により回転せしめられるディスク状記録媒体についての試し書き記録処理が行われるべきとき、ディスク状記録媒体がその記録面部についての実質的な使用が開始される状況におかれる場合にあっては、複数の環状記録ゾーンのいずれにおけるゾーン情報記録領域もゾーン情報が記録されていない状態にあり、例えば、全環状記録ゾーンを対象とした試し書き記録処理が行われる。この全環状記録ゾーンを対象とした試し書き記録処理は、例えば、ゾーン情報記録領域のうちの一つから読み出された標準値情報に基づく光ビームパワー制御を受けた光ビームが各環状記録ゾーンに入射せしめられて、試し書き記録が行われ、さらには、それにより環状記録ゾーンに記録された情報が読み取られて得られる読取出力信号の状態に応じたものとされる基準値情報を含むゾーン情報が、各環状記録ゾーンにおけるゾーン情報記録領域に記録されることにより実施される。
【００１６】
また、ディスク装着部に装着されてディスク回転駆動部により回転せしめられるディスク状記録媒体についての試し書き記録処理が行われるべきとき、ディスク状記録媒体がその記録面部についての実質的な使用が開始された後の状態にある場合にあっては、各環状記録ゾーンにおけるゾーン情報記録領域にはゾーン情報が記録されており、所定の環状記録ゾーンを対象とした試し書き記録処理が行われる。この所定の環状記録ゾーンを対象とした試し書き記録処理は、例えば、当該環状記録ゾーンに設けられたゾーン情報記録領域から読み取られた基準値情報に基づく光ビームパワー制御を受けた光ビームが当該環状記録ゾーンに入射せしめられて、試し書き記録が行われ、さらには、それにより環状記録ゾーンに記録された情報が読み取られて得られる読取出力信号の状態に応じたものとされる更新された基準値情報を含むゾーン情報が、当該環状記録ゾーンにおけるゾーン情報記録領域に記録されることにより実施される。そして、斯かる試し書き記録処理は、例えば、実質的な使用がなされていない未使用状態にある環状記録ゾーンについては実施されない。
【００１７】
斯かる試し書き記録処理における標準値情報に基づく光ビームパワー制御は、ゾーン情報記録領域のうちの一つから読み出された標準値情報が、比較的狭い範囲内で複数段階に設定される異なった値を順次あらわすものに変化せしめられて用いられることにより行われ、その結果、光ビームが各環状記録ゾーンについての最適記録パワーを有するものとされる状態が探索される。同様に、上述の試し書き記録処理における基準値情報に基づく光ビームパワー制御は、所定の環状記録ゾーンにおけるゾーン情報記録領域から読み出された基準値情報が、比較的狭い範囲内で複数段階に設定される異なった値を順次あらわすものに変化せしめられて用いられることにより行われ、その結果、光ビームが所定の環状記録ゾーンについての最適記録パワーを有するものとされる状態が探索される。
【００１８】
このようにされることにより、ディスク状記録媒体における環状記録ゾーンに対する情報の記録に際して行われる試し書き記録処理の回数が低減されるとともに、１回の試し書き記録処理に要される時間が効果的に短縮され、かつ、試し書き記録処理における精度の向上が図られることになり、さらに、各環状記録ゾーンにおける試し書き用記録部分とそれ以外の情報記録がなされる部分との間の書換え使用回数の差が小とされることになる。
【００１９】
また、特に、本発明に係る情報記録再生装置にあっては、ディスク状記録媒体についての試し書き記録処理が行われるべきときには、ディスク状記録媒体がその記録面部についての実質的な使用が開始される状況におかれる場合における各環状記録ゾーンを対象にした試し書き記録処理、あるいは、ディスク状記録媒体がその記録面部についての実質的な使用が開始された後の状態にある場合における所定の環状記録ゾーンを対象にした試し書き記録処理が、パワー制御部及び動作状態制御部が主導的な役割を果たすものとされるもとで、確実に実行される。
【００２１】
【実施例】
図１及び図２は、本発明に係る情報記録再生装置もしくは情報記録再生装置による試し書き方法において使用されるディスク状記録媒体の一例を示し、この例は、所謂、光磁気記録が行われるディスクＤを構成するものとされている。ディスクＤにおいては、中央孔１が設けられるとともにその周囲に記録面形成部２が拡がっている。記録面形成部２においては、その内周側部分に環状の内側端縁領域３が設けられ、また、その外周側部分に環状の外側端縁領域４が設けられていて、これら内側端縁領域３と外側端縁領域４との間に、中央孔１を包囲する記録面部５が形成されている。この記録面部５が、記録用の光ビームが入射せしめられて情報の記録がなされ、また、読取り用の光ビームが入射せしめられて記録された情報の読取りがなされる領域であって、多数の環状記録トラックが形成される。
【００２２】
記録面部５は、中央孔１を取り巻く同心円状に配されて各々のディスクＤの半径方向の幅が比較的小とされた複数の環状記録ゾーン６に区分されている。これら複数の環状記録ゾーン６の夫々には、その最内周部にゾーン情報記録領域６Ａが設けられており、ゾーン情報記録領域６Ａは、それが設けられた環状記録ゾーン６に対する記録用の光ビームによる情報の記録が行われるに際して記録用の光ビームのパワーを調整する光ビームパワー制御に用いられるべきものとされる基準値情報、及び、その基準値情報に付随するディスク温度情報を含むものとされるゾーン情報が記録され、さらに、それが設けられた環状記録ゾーン６がデータ情報の記録に使用されたか否かをあらわす使用状態情報が記録されるものとされる。
【００２３】
そして、複数の環状記録ゾーン６の夫々に設けられたゾーン情報記録領域６Ａのうちの一つである、記録面部５の最内周部分に配された環状記録ゾーン６におけるゾーン情報記録領域６Ａ（以下、ゾーン情報記録領域６ＡＩとあらわす）には、各環状記録ゾーン６に設けられたゾーン情報記録領域６Ａにおけるゾーン情報の記録の有無をあらわす記録状態情報が記録される部分と、記録面部５に対する記録用の光ビームによる情報の記録が行われるに際して記録用の光ビームのパワーを調整する光ビームパワー制御に用いられるべきものとされる標準値情報、及び、基準値情報についてのディスク温度に応じた補正に用いられる温度補正情報を含むものとされる媒体情報が、例えば、ディスクＤの製造時とされる、記録面部５についての実質的な使用前において、予め記録された部分と、が設けられる。
【００２４】
また、複数の環状記録ゾーン６の夫々におけるゾーン情報記録領域６Ａ以外の部分には、図２に示される如く、試し書き用記録部が、ゾーン情報記録領域６Ａに近接してそれを包囲する環状の試し書き用記録トラック形成部７として設けられている。
【００２５】
このような複数の環状記録ゾーン６の夫々におけるゾーン情報記録領域６Ａ以外の部分，ゾーン情報記録領域６ＡＩ以外の各ゾーン情報記録領域６Ａ、及び、ゾーン情報記録領域６ＡＩにおける媒体情報が記録された部分以外の部分については、記録用の光ビームによる情報の書換え記録の繰返しが可能とされるが、ゾーン情報記録領域６ＡＩにおける媒体情報が記録された部分は、媒体情報の記録後においては記録用の光ビームによる情報の書換え記録あるいは情報の消去が不可とされる。
【００２６】
各環状記録ゾーン６におけるゾーン情報記録領域６Ａに記録された基準値情報は、所定の環状記録ゾーン６に対するデータ情報の記録に際して用いられ、さらに、同じく各環状記録ゾーン６におけるゾーン情報記録領域６Ａに記録されたディスク温度情報及び使用状態情報、及び、ゾーン情報記録領域６ＡＩに記録された温度補正情報と共に、所定の環状記録ゾーン６に対して行われる試し書き記録処理に利用される。また、ゾーン情報記録領域６ＡＩの一部分に記録された記録状態情報及び標準値情報は、全環状記録ゾーン６に対して行われる試し書き記録処理に利用される。
【００２７】
即ち、ディスクＤが用いられたもとでの試し書き記録処理が行われるべきとき、ディスクＤがその記録面部５についての実質的な使用が開始される状況におかれる場合にあっては、ゾーン情報記録領域６ＡＩの一部分に記録された記録状態情報が、複数の環状記録ゾーン６のいずれにおけるゾーン情報記録領域６Ａにもゾーン情報が記録されていないことをあらわすものとされており、斯かる記録状態情報に従って、全環状記録ゾーン６を対象とした試し書き記録処理が行われる。
【００２８】
この全環状記録ゾーン６を対象とした試し書き記録処理においては、ゾーン情報記録領域６ＡＩの一部分から読み出された標準値情報に基づく光ビームパワー制御を受けた記録用の光ビームが、各環状記録ゾーン６に設けられた試し書き用記録トラック形成部７に入射せしめられて、試し書き記録が行われる。その後、試し書き用記録トラック形成部７に記録された情報が読み取られて得られる読取出力信号の状態に応じて基準値情報が形成され、さらに、その時のディスクＤの温度をあらわすディスク温度情報が形成されて、それらがゾーン情報として各環状記録ゾーン６におけるゾーン情報記録領域６Ａに記録される。さらに、このとき、ゾーン情報記録領域６ＡＩの一部分に記録された記録状態情報についての書換え記録が行われ、記録状態情報が各環状記録ゾーン６におけるゾーン情報記録領域６Ａにゾーン情報が記録されていることをあらわすものとされる。
【００２９】
そして、全環状記録ゾーン６を対象とした試し書き記録処理が終了した後、少なくとも一つの環状記録ゾーン６に対するデータ情報の記録が、当該環状記録ゾーン６におけるゾーン情報記録領域６Ａに記録された基準値情報に応じた光ビームパワー制御を受けて、最適記録パワーを有するものとされた記録用の光ビームにより行われる。さらに、当該環状記録ゾーン６におけるゾーン情報記録領域６Ａに記録された使用状態情報についての書換え記録が行われ、使用状態情報が当該環状記録ゾーン６がデータ情報の記録に使用されたことをあらわすものとされる。
【００３０】
また、ディスクＤが用いられたもとでの試し書き記録処理が行われるべきとき、ディスクＤがその記録面部５についての実質的な使用が開始された後の状態にある場合にあっては、ゾーン情報記録領域６ＡＩの一部分に記録された記録状態情報が、各環状記録ゾーン６におけるゾーン情報記録領域６Ａにゾーン情報が記録されていることをあらわすものとされており、斯かる記録状態情報に従って、ゾーン情報記録領域６Ａに記録された使用状態情報がデータ情報の記録に使用されたことをあらわすものとされている環状記録ゾーン６、即ち、使用された環状記録ゾーン６を対象とした試し書き記録処理が行われる。
【００３１】
この使用された環状記録ゾーン６を対象とした試し書き記録処理においては、使用された環状記録ゾーン６に設けられたゾーン情報記録領域６Ａから読み取られた基準値情報に対して、同じく使用された環状記録ゾーン６に設けられたゾーン情報記録領域６Ａから読み取られたディスク温度情報，その時のディスクＤの温度、及び、ゾーン情報記録領域６ＡＩの一部分から読み出された温度補正情報が用いられての温度補正が施され、温度補正された基準値情報に基づく光ビームパワー制御を受けた記録用の光ビームが、当該環状記録ゾーン６に設けられた試し書き用記録トラック形成部７に入射せしめられて、試し書き記録が行われる。その後、試し書き用記録トラック形成部７に記録された情報が読み取られて得られる読取出力信号の状態に応じて更新された基準値情報が形成され、さらに、その時のディスクＤの温度をあらわすディスク温度情報が形成されて、それらが更新されたゾーン情報とされ、当該環状記録ゾーン６におけるゾーン情報記録領域６Ａに記録されたゾーン情報についての更新記録が行われて、当該環状記録ゾーン６におけるゾーン情報記録領域６Ａに更新されたゾーン情報が記録される。
【００３２】
そして、使用された環状記録ゾーン６を対象とした試し書き記録処理が終了した後、少なくとも一つの環状記録ゾーン６に対するデータ情報の記録が、当該環状記録ゾーン６におけるゾーン情報記録領域６Ａに記録された基準値情報に応じた光ビームパワー制御を受けて、最適記録パワーを有するものとされた記録用の光ビームにより行われる。さらに、データ情報の記録がなされた環状記録ゾーン６が始めて使用されたものである場合には、当該環状記録ゾーン６におけるゾーン情報記録領域６Ａに記録された使用状態情報についての書換え記録が行われ、使用状態情報が当該環状記録ゾーン６がデータ情報の記録に使用されたことをあらわすものとされる。
【００３３】
このように全環状記録ゾーン６を対象とした試し書き記録処理が、ゾーン情報記録領域６ＡＩの一部分に記録された記録状態情報及び標準値情報が利用されて行われ、また、使用された環状記録ゾーン６を対象とした試し書き記録処理が、各環状記録ゾーン６におけるゾーン情報記録領域６Ａに記録された使用状態情報，基準値情報及びディスク温度情報とゾーン情報記録領域６ＡＩに記録された温度補正情報とが利用されて行われることにより、環状記録ゾーン６に対する情報の記録に際して行われる試し書き記録処理の回数が低減されるとともに、１回の試し書き記録処理に要される時間が効果的に短縮され、かつ、試し書き記録処理における精度の向上が図られることになる。さらに、各環状記録ゾーン６における試し書き用記録トラック形成部７とそれ以外の情報記録がなされる部分との間の書換え使用回数の差が小とされることになる。
【００３４】
図３は、本発明に係る情報記録再生装置による試し書き方法の実施に用いられる、本に本発明に係る情報記録再生装置の一例の要部を示す。この例においては、上述の如くの光磁気記録が行われるディスクＤが、所定の回転速度で回転するディスク装着部２１に装着される。
【００３５】
ディスク装着部２１に装着されたディスクＤは、ディスク回転駆動部２２により一定の回転速度をもって回転駆動されるディスク装着部２１に伴って回転せしめられる。また、ディスク装着部２１に装着されたディスクＤには、その一方の面側において光学ヘッド部２３が対向せしめられるとともに、その他方の面側において磁界発生部２４が光学ヘッド部２３に対応する位置を占めるようにして対向せしめられている。
【００３６】
光学ヘッド部２３は、ディスクＤの記録面部５における環状記録ゾーン６に情報を記録する情報記録及びディスクＤの記録面部５における環状記録ゾーン６に記録された情報を読み取って読取出力信号を送出する情報読取りを選択的に行うものとされ、例えば、レーザ光ビームとされる記録用の光ビームもしくは読取り用の光ビームを、ディスクＤの記録面部５における環状記録ゾーン６に入射させるとともに、ディスクＤの記録面部５における環状記録ゾーン６で反射して戻る記録用の光ビームもしくは読取り用の光ビームを検出するための光学系を内蔵している。また、光学ヘッド部２３には、それをディスクＤの半径方向、即ち、ディスクＤの記録面部５における環状記録ゾーン６を幅方向に沿って過る方向に移動させるための、例えば、リニアモータ機構により構成されたヘッド駆動機構２５が付設されている。
【００３７】
光学ヘッド部２３に内蔵された光学系にあっては、図４に示される如く、レーザ光源３０からのレーザ光ビームがコリメータ・レンズ３１を介してハーフミラー３２に入り、これを通過する。ハーフミラー３２を通過したレーザ光ビームは、対物レンズ３３に入り、この対物レンズ３３により集束されて、ディスクＤの記録面部５における環状記録ゾーン６に入射せしめられる。
【００３８】
対物レンズ３３は、フォーカス調整用駆動コイル３４及びトラッキング調整用駆動コイル３５により、例えば、ディスクＤに近接あるいはディスクＤから離隔する方向、及び、ディスクＤに入射するレーザ光ビームがディスクＤの記録面部５における環状記録ゾーン６に形成される環状記録トラックを横切る方向に移動するように位置制御されるものとなされており、それによって、ディスクＤに入射するレーザ光ビームが、ディスクＤの記録面部５における環状記録ゾーン６に形成される環状記録トラックの位置に、適正なフォーカス状態のもとに適切なトラッキング関係をもってスポットを形成するようにされる。フォーカス調整用駆動コイル３４には、端子３６を通じてフォーカス制御信号ＳＦＤが供給され、また、トラッキング調整用駆動コイル３５には、端子３７を通じてトラッキング制御信号ＳＴＤが供給される。
【００３９】
レーザ光源３０に付随してレーザ駆動部３８が設けられており、レーザ駆動部３８には、端子３９を通じてパワー制御信号ＳＰが供給されるとともに、端子４０を通じて記録情報信号ＳＲが供給される。レーザ駆動部３８は、パワー制御信号ＳＰ及び記録情報信号ＳＲに応じたレーザ駆動制御信号ＳＬＣを形成して、それをレーザ光源３０に供給し、レーザ光源３０から発せられるレーザ光ビームに対するレーザパワー制御及び強度変調を行う。それにより、レーザ光源３０から発せられるレーザ光ビームが、端子３９からのパワー制御信号ＳＰに応じたパワーを有するとともに、端子４０からの記録情報信号ＳＲに応じて強度変調が行われるものとなす。
【００４０】
パワー制御信号ＳＰの供給及び記録情報信号ＳＲの供給は、光学ヘッド部２３により情報記録が行われる記録動作状態においては、端子３９を通じてパワー制御信号ＳＰが供給されるとともに端子４０を通じて記録情報信号ＳＲが供給され、光学ヘッド部２３により情報読取りが行われる読取り動作状態においては、端子３９を通じてパワー制御信号ＳＰが供給されるが、記録情報信号ＳＲが供給されないようにして行われる。
【００４１】
端子３９を通じて供給されるパワー制御信号ＳＰは、記録動作状態のもとにあっては、レーザ光源３０から発せられるレーザ光ビームを、端子４０からの記録情報信号ＳＲに応じた強度変調が行われないとしたとき、比較的大とされるパワーを有するものとなし、読取り動作時のもとにあっては、レーザ光源３０から発せられるレーザ光ビームを、比較的小なる略一定のパワーを有するものとなすものとされる。それにより、レーザ光源３０から発せられるレーザ光ビームは、記録動作時においては、比較的大とされるパワーを有するものとされるもとで記録情報信号ＳＲに応じた強度変調がなされる記録用の光ビームとされ、一方、読取り動作状態においては、比較的小なる略一定のパワーを有する読取り用の光ビームとされる。
【００４２】
そして、記録動作状態のもとにあっては、レーザ光源３０からの記録用の光ビームが、後述される如くにして磁界発生部２４がディスクＤに所定の磁界を作用させるもとで、対物レンズ３３を通じてディスクＤの記録面部５における環状記録ゾーン６に入射するものとされ、それにより、環状記録ゾーン６に記録情報信号ＳＲに基づく情報の記録が、環状記録トラックが形成されるもとで行われる。また、それとともに、ディスクＤの記録面部５における環状記録ゾーン６に入射した記録用の光ビームは、環状記録ゾーン６に記録されたアドレスデータ情報に応じた強度変化を受けて反射され、再び対物レンズ３３に入り、対物レンズ３３を経てハーフミラー３２で反射される。即ち、記録用の光ビームによる、ディスクＤの記録面部５における環状記録ゾーン６からのアドレスデータ情報の読取りが行われるのである。
【００４３】
ハーフミラー３２で反射された記録用の光ビームは、その一部がハーフミラー４１を通過し、さらに、半波長板４２を経て偏光ビームスプリッタ４３に入射するものとされ、また、他の一部がハーフミラー４１で反射され、さらに、ミラー４４で反射し、シリンドリカル・レンズ４５通じて感光部４６に入射する。感光部４６は複数個、例えば、４個の光検出器を含んで構成され、感光部４６を構成する４個の光検出器は、シリンドリカル・レンズ４５を経た記録用の光ビームを受けて、その入射位置及び強度の変化に応じた電気信号を発生し、それらを出力信号Ｑａ，Ｑｂ，Ｑｃ及びＱｄとして端子４７，４８，４９及び５０に夫々送出する。
【００４４】
また、読取り動作状態のもとにあっては、レーザ光源３０からの読取り用の光ビームが、対物レンズ３３を通じてディスクＤの記録面部５における環状記録ゾーン６に入射する。ディスクＤの記録面部５における環状記録ゾーン６に入射した読取用の光ビームは、環状記録ゾーン６に形成された環状記録トラックに対する追従状態及び環状記録ゾーン６に記録されたアドレスデータ情報に応じた強度変化と、環状記録ゾーン６における情報記録の状態に応じた偏光状態変化とを受けて反射され、再び対物レンズ３３に入り、対物レンズ３３を経てハーフミラー３２で反射される。即ち、読取用の光ビームによる、環状記録ゾーン６に形成された環状記録トラックに対する追従状態を反映させたもとでの、環状記録ゾーン６に記録されたアドレスデータ情報及び他の情報の読取りが行われるのである。
【００４５】
ハーフミラー３２で反射された読取用の光ビームは、その一部がハーフミラー４１を通過し、さらに、半波長板４２を経て偏光ビームスプリッタ４３に入射する。偏光ビームスプリッタ４３に入射する読取用の光ビームは、ディスクＤの記録面部５における環状記録ゾーン６に情報記録がなされた記録部分と情報記録がなされていない非記録部分とに応じて偏光面の回転状態が異なるものとされて反射されて得られ、それにより、環状記録ゾーン６における記録部分と非記録部分とに応じて、互いに相違する第１の偏光面及び第２の偏光面を夫々有した二つの成分を含むものとされている。
【００４６】
偏光ビームスプリッタ４３においては、それに入射した読取用の光ビームにおける第１の偏光面を有した成分と第２の偏光面を有した成分とが分離され、それらのうちの一方がレンズ５１を通じて感光部５２に到達するものとされ、他方がレンズ５３を通じて感光部５４に到達するものとされる。感光部５２及び感光部５４は、例えば、夫々が１個の光検出器を含んで構成されるものとされ、感光部５２を構成する光検出器が、第１及び第２の偏光面を有した成分のうちの一方に応じた電気信号を発生し、それを読取出力信号Ｑｐとして端子５５に送出し、また、感光部５４を構成する光検出器が、第１及び第２の偏光面を有した成分のうちの他方に応じた電気信号を発生し、それを読取出力信号Ｑｓとして端子５６に送出する。
【００４７】
また、ハーフミラー３２で反射された読取用の光ビームの他の一部は、ハーフミラー４１で反射され、さらに、ミラー４４で反射し、シリンドリカル・レンズ４５通じて感光部４６に入射する。感光部４６を構成する４個の光検出器は、シリンドリカル・レンズ４５を経た読取用の光ビームを受けて、その入射位置及び強度の変化に応じた電気信号を発生し、それらを読取出力信号Ｑａ，Ｑｂ，Ｑｃ及びＱｄとして端子４７，４８，４９及び５０に夫々送出する。
【００４８】
このように構成される光学ヘッド部２３は、ヘッド駆動機構２５によって駆動され、ディスクＤの回転に伴ってディスクＤの径方向に移動せしめられるようにされており、それによって、対物レンズ３３を通じてディスクＤに入射するレーザ光ビームが、回転するディスクＤの記録面部５における環状記録ゾーン６を適正に走査するものとされる。
【００４９】
そして、上述の感光部４６からの読取出力信号Ｑａ，Ｑｂ，Ｑｃ及びＱｄ，感光部５２からの読取出力信号Ｑｐ、及び、感光部５４からの読取出力信号Ｑｓは、読取信号処理部６０に供給される。読取信号処理部６０にあっては、読取出力信号Ｑａ，Ｑｂ，Ｑｃ及びＱｄに基づいて、フォーカスエラー信号ＳＦ，トラッキングエラー信号ＳＴ、及び、再生アドレスデータ信号ＳＡが形成され、また、読取出力信号Ｑｐと読取出力信号Ｑｓとの差に基づいて、再生情報信号ＳＩが形成される。
【００５０】
読取信号処理部６０から得られるフォーカスエラー信号ＳＦ及びトラッキングエラー信号ＳＴは、サーボ制御部６１に供給され、また、読取信号処理部６０から得られる再生アドレスデータ信号ＳＡは、アドレスデコーダ部６２に供給され、さらに、読取信号処理部６０から得られる再生情報信号ＳＩは、再生増幅部６３に供給される。アドレスデコーダ部６２からは再生アドレスデータ信号ＳＡに基づいて再生されたアドレスデータＤＡＤが得られ、それが動作制御ユニット６５に供給される。
【００５１】再生増幅部６３においては再生情報信号ＳＩについての増幅及び波形等化処理が行われ、再生増幅部６３を通じて得られる再生情報信号ＳＩ’が、波形整形部６６と試し書き情報再生処理部６７とに供給される。試し書き情報再生処理部６７においては、再生情報信号ＳＩ’が、光学ヘッド部２３によりディスクＤの記録面部５における環状記録ゾーン６に設けられた試し書き用記録トラック形成部７に記録された情報が読み取られて得られたものであるとき、再生情報信号ＳＩ’に基づく試し書き情報の再生が行われ、再生試し書き情報ＳＷＲ’が得られる。そして、再生試し書き情報ＳＷＲ’は動作制御ユニット６５に供給される。
【００５２】
また、波形整形部６６による波形整形がなされた再生情報信号ＳＩ’は、デーコーダ部６８に供給され、デーコーダ部６８において、再生情報信号ＳＩ’に対する復調理処理，復号化処理等の各種の処理が行われ、再生情報ＳＩＤが得られる。そして、デーコーダ部６８から得られる再生情報ＳＩＤは、情報処理部６９に供給される。
【００５３】
情報処理部６９においては、再生情報ＳＩＤに基づいて、光学ヘッド部２３によりディスクＤの記録面部５における環状記録ゾーン６から読み取られたデータ情報についての再生出力である再生データ情報ＤＲ’，光学ヘッド部２３によりディスクＤの記録面部５における環状記録ゾーン６に設けられたゾーン情報記録領域６Ａから読み取られた使用状態情報、及び、基準値情報とディスク温度情報とを含むゾーン情報についての再生出力である再生複合ゾーン情報ＤＡ、及び、光学ヘッド部２３によりディスクＤにおけるゾーン情報記録領域６ＡＩから読み取られた記録状態情報、及び、標準値情報と温度補正情報とを含む媒体情報についての再生出力である再生複合媒体情報ＤＢが、分離されて取り出される。そして、再生データ情報ＤＲ’は、情報出力端子７０に導出され、また、再生複合ゾーン情報ＤＡ及び再生複合媒体情報ＤＢの夫々は、動作制御ユニット６５に供給される。
【００５４】
また、図３に示される例にあっては、ディスクＤの温度を検知すべくディスクＤの周囲温度を検出する温度検出部７１が備えられており、温度検出部７１から得られる、実質的にディスクＤの温度をあらわす温度検出出力信号ＳＳが、動作制御ユニット６５に供給される。さらに、動作制御ユニット６５には、各種の操作部が含まれるものとされた操作ブロック７２が接続されており、各種の操作部の操作に応じた操作制御信号ＣＣが操作ブロック７２から動作制御ユニット６５に供給される。
【００５５】
動作制御ユニット６５からは、ディスク回転駆動部２２にディスク装着部２１を一定の回転速度をもって回転駆動する動作を行わせるための制御信号ＣＭ、及び、アドレスデコーダ部６２から得られるアドレスデータＤＡＤが所望のものとなるように光学ヘッド部２３を移動制御するための制御信号ＣＨが、サーボ制御部６１へと送出される。サーボ制御部６１からは、読取信号処理部６０からのフォーカスエラー信号ＳＦ及びトラッキングエラー信号ＳＴに基づいて形成されるフォーカス制御信号ＳＦＤ及びトラッキング制御信号ＳＴＤが送出され、それらが光学ヘッド部２３における端子３６及び３７に夫々供給される。
【００５６】
そして、記録動作状態のもとにあっては、動作制御ユニット６５から制御信号ＣＧが送出されて、それが磁界制御部７３に供給される。磁界制御部７３からは、制御信号ＣＧに応じて磁界制御信号ＳＧが送出され、それが磁界発生部２４に供給される。それにより、磁界発生部２４から磁界制御信号ＳＧに応じた所定の磁界が発せられてディスクＤに作用せしめられる。
【００５７】
それとともに、動作制御ユニット６５から記録用レーザパワー制御信号ＣＰＷがパワー制御信号形成部７５に供給され、パワー制御信号形成部７５から記録用レーザパワー制御信号ＣＰＷに基づくパワー制御信号ＳＰが送出されて、それが光学ヘッド部２３における端子３９に供給される。さらに、端子７６を通じて、ディスクＤの記録面部５における環状記録ゾーン６に記録されるべきデータ情報ＤＲがエンコーダ部７７に供給される。エンコーダ部７７においては、データ情報ＤＲが所定の符号化方式に従って符号化されるとともに、符号化されたデータ情報ＤＲをあらわすデータ情報信号ＳＤＲが形成される。そして、エンコーダ部７７から得られるデータ情報信号ＳＤＲは、選択部７８に供給される。
【００５８】
斯かる際には、動作制御ユニット６５から選択部７８に、エンコーダ部７７から得られるデータ情報信号ＳＤＲを選択して取り出す動作を行わせるものとされた選択制御信号ＣＳが供給され、それにより、エンコーダ部７７からのデータ情報信号ＳＤＲが選択部７８により取り出されて記録信号形成部７９に供給される。その結果、記録信号形成部７９においてエンコーダ部７７からのデータ情報信号ＳＤＲに応じた記録情報信号ＳＲが形成され、それが光学ヘッド部２３における端子４０に供給される。
【００５９】
また、読取り動作状態のもとにあっては、動作制御ユニット６５から読取り用レーザパワー制御信号ＣＰＲがパワー制御信号形成部７５に供給され、パワー制御信号形成部７５から読取り用レーザパワー制御信号ＣＰＲに基づくパワー制御信号ＳＰが送出されて、それが光学ヘッド部２３における端子３９に供給される。斯かる際には、端子７６を通じてのデータ情報ＤＲのエンコーダ部７７への供給、及び、動作制御ユニット６５から選択部７８への選択制御信号ＣＳの供給はなされない。
【００６０】
さらに、図３に示される例にあっては試し書き記録処理が行われる試し書き記録動作状態がとられるが、斯かる試し書き記録動作状態のもとにあっては、読取り動作状態及び記録動作状態が適宜選択的に設定れ、そのうち記録動作状態とされるとき、動作制御ユニット６５から試し書き情報発生部８０に、試し書き情報ＳＷＲを発生して選択部７８に供給する動作を行わせるための制御信号ＣＷが供給されるとともに、動作制御ユニット６５から選択部７８に、試し書き情報発生部８０から得られる試し書き情報ＳＷＲを選択して取り出す動作を行わせるものとされた選択制御信号ＣＳが供給される状態、及び、動作制御ユニット６５から基準値情報とディスク温度情報とを含むゾーン情報ＳＺが送出されて選択部７８に供給されるとともに、動作制御ユニット６５から選択部７８に、動作制御ユニット６５からのゾーン情報ＳＺを選択して取り出す動作を行わせるものとされた選択制御信号ＣＳが供給される状態が選択的にとられる。
【００６１】
それにより、試し書き記録動作状態のもとにおいて記録動作状態とされるときには、試し書き情報発生部８０からの試し書き情報ＳＷＲが選択部７８により取り出されて記録信号形成部７９に供給され、記録信号形成部７９において試し書き情報発生部８０からの試し書き情報ＳＷＲに応じた記録情報信号ＳＲが形成され、それが光学ヘッド部２３における端子４０に供給される動作と、動作制御ユニット６５からのゾーン情報ＳＺが選択部７８により取り出されて記録信号形成部７９に供給され、記録信号形成部７９において動作制御ユニット６５からのゾーン情報ＳＺに応じた記録情報信号ＳＲが形成され、それが光学ヘッド部２３における端子４０に供給される動作とが、選択的に行われる。
【００６２】
このような、記録動作状態，読取り動作状態、及び、試し書き記録動作状態は、例えば、動作制御ユニット６５に接続された操作ブロック７２における所定の操作部が操作され、その操作に応じた操作制御信号ＣＣが操作ブロック７２から動作制御ユニット６５に供給されることにより、選択的に設定される。
【００６３】
斯かるもとで、動作制御ユニット６５，パワー制御信号形成部７５及び光学ヘッド部２３におけるレーザ駆動部３８が含まれる部分によって、光学ヘッド部２３からディスクＤの記録面部５における環状記録ゾーン６に入射する光ビームのパワーを調整する光ビームパワー制御を行うパワー制御部が構成されており、また、動作制御ユニット６５及び操作ブロック７２が含まれる部分によって、光学ヘッド部２３に情報記録を行う動作状態と情報読取りを行う動作状態とを選択的にとらせる動作状態制御部が構成されていることになる。
【００６４】
そして、試し書き記録動作状態がとられて、試し書き記録処理が行われる際には、先ず、読取り動作状態が設定され、動作制御ユニット６５から送出される制御信号ＣＨに応じて、光学ヘッド部２３からの光ビームのディスクＤの記録面部５に対する入射位置がゾーン情報記録領域６ＡＩに到達せしめられるサーチ動作が行われて、光学ヘッド部２３によりディスクＤにおけるゾーン情報記録領域６ＡＩに記録された記録状態情報及び標準値情報と温度補正情報とを含む媒体情報の読取りが行われる。それにより、情報処理部６９から記録状態情報及び標準値情報と温度補正情報とを含む媒体情報についての再生出力である再生複合媒体情報ＤＢが得られて、動作制御ユニット６５に供給される。
【００６５】
動作制御ユニット６５は、再生複合媒体情報ＤＢを取り込んで、それに含まれる記録状態情報により、ディスクＤの記録面部５における各環状記録ゾーン６に設けられたゾーン情報記録領域６Ａにゾーン情報が記録されているか否かを検知する。そして、各環状記録ゾーン６に設けられたゾーン情報記録領域６Ａにゾーン情報が記録されていない場合、即ち、ディスクＤがその記録面部５についての実質的な使用が開始される状況におかれる場合にあっては、再生複合媒体情報ＤＢに含まれる標準値情報を検出し、検出された標準値情報を、それがあらわす値より所定の値α（例えば、検出された標準値情報があらわす値の１０％に相当する値）だけ大なる値から所定の値αだけ小なる値までの範囲において複数段階（例えば、１０段階）に設定される異なった値を順次あらわす、複数の改変標準値情報に変化させて記憶する。それにより、試し書き記録に際しての記録用の光ビームのパワー変化範囲が設定される。
【００６６】
次に、動作制御ユニット６５から送出される制御信号ＣＨに応じて、光学ヘッド部２３からの光ビームのディスクＤの記録面部５に対する入射位置が記録面部５における複数の環状記録ゾーン６のうちの一つに設けられた試し書き用記録トラック形成部７に到達せしめられるサーチ動作が行われ、斯かるサーチ動作後、記録動作状態が設定される。この記録動作状態のもとでは、動作制御ユニット６５から、記憶された複数の改変標準値情報に夫々対応する記録用レーザパワー制御信号ＣＰＷが順次パワー制御信号形成部７５に供給され、さらに、動作制御ユニット６５から試し書き情報発生部８０に、試し書き情報ＳＷＲを発生して選択部７８に供給する動作を行わせるための制御信号ＣＷが供給されるとともに、動作制御ユニット６５から選択部７８に、試し書き情報発生部８０から得られる試し書き情報ＳＷＲを選択して取り出す動作を行わせるものとされた選択制御信号ＣＳが供給される。
【００６７】
それにより、光学ヘッド部２３から複数の環状記録ゾーン６のうちの一つに設けられた試し書き用記録トラック形成部７に入射する記録用の光ビームが、複数の改変標準値情報に夫々対応する記録用レーザパワー制御信号ＣＰＷに従った光ビームパワー制御を受けるものとされたもとで、試し書き情報発生部８０から得られる試し書き情報ＳＷＲに従った強度変調がなされるものとされて、複数の環状記録ゾーン６のうちの一つに設けられた試し書き用記録トラック形成部７に試し書き情報ＳＷＲが記録される試し書き記録が行われる。
【００６８】
試し書き情報発生部８０からの試し書き情報ＳＷＲの送出が終了して、試し書き記録が完了すると、再び読取り動作状態が設定され、光学ヘッド部２３により試し書き記録が行われた試し書き用記録トラック形成部７からそれに記録された試し書き情報ＳＷＲの読取りが行われる。それにより、試し書き情報再生処理部６７から再生試し書き情報ＳＷＲ’が得られて、それが動作制御ユニット６５に供給される。
【００６９】
動作制御ユニット６５は、再生試し書き情報ＳＷＲ’を取り込んで、例えば、その平均値レベル等に基づいて、試し書き用記録トラック形成部７における記録用の光ビームが最適記録パワーを有したもとでの試し書き記録がなされた部分、即ち、最適試し書き記録部分から再生された再生試し書き情報ＳＷＲ’を検出し、その最適試し書き記録部分に対応する最適改変標準値情報を検知する。斯かる際、最適試し書き記録部分に直接的に対応する最適改変標準値情報が得られない場合には、最適試し書き記録部分の前後の部分に夫々対応する二つの改変標準値情報に関する補間処理を行って、最適改変標準値情報を間接的に得る。
【００７０】
そして、動作制御ユニット６５は、このようにして得た最適改変標準値情報を、ディスクＤの記録面部５における複数の環状記録ゾーン６のうちの一つについての基準値情報として設定して記憶する。また、この時、動作制御ユニット６５は、温度検出部７１からの温度検出出力信号ＳＳを取込み、温度検出出力信号ＳＳが示す温度をあらわすディスク温度情報を記憶する。
【００７１】
このようにして行われる試し書き記録及び試し書き記録により記録された試し書き情報ＳＷＲの読取りが、ディスクＤの記録面部５における複数の環状記録ゾーン６の全部についてなされるまで繰り返され、それにより、動作制御ユニット６５において、ディスクＤの記録面部５における複数の環状記録ゾーン６の夫々についての基準値情報とディスク温度情報が記憶される。
【００７２】
そして、試し書き記録及び試し書き記録により記録された試し書き情報ＳＷＲの読取りが全環状記録ゾーン６についてなされると、動作制御ユニット６５から送出される制御信号ＣＨに応じて、光学ヘッド部２３からの光ビームのディスクＤの記録面部５に対する入射位置が記録面部５における複数の環状記録ゾーン６のうちの一つに設けられたゾーン情報記録領域６Ａに到達せしめられるサーチ動作が行われ、斯かるサーチ動作後、記録動作状態が設定される。この記録動作状態のもとでは、動作制御ユニット６５から、それに記憶された基準値情報のうちのサーチされた環状記録ゾーン６に対応するものに基づく記録用レーザパワー制御信号ＣＰＷがパワー制御信号形成部７５に供給され、さらに、動作制御ユニット６５から、それに記憶された基準値情報及びディスク温度情報のうちのサーチされた環状記録ゾーン６に対応するものが、ゾーン情報ＳＺとして選択部７８に供給されるとともに、動作制御ユニット６５から選択部７８に、動作制御ユニット６５からのゾーン情報ＳＺを選択して取り出す動作を行わせるものとされた選択制御信号ＣＳが供給される。
【００７３】
それにより、光学ヘッド部２３から複数の環状記録ゾーン６のうちの一つに設けられたゾーン情報記録領域６Ａに入射する記録用の光ビームが、その環状記録ゾーン６に対応する基準値情報に基づく記録用レーザパワー制御信号ＣＰＷに従った光ビームパワー制御を受けるものとされたもとで、動作制御ユニット６５からのゾーン情報ＳＰＴに従った強度変調がなされるものとされて、複数の環状記録ゾーン６のうちの一つに設けられたゾーン情報記録領域６Ａに、基準値情報とディスク温度情報とを含むゾーン情報が記録される。
【００７４】
このようにして行われる環状記録ゾーン６に設けられたゾーン情報記録領域６Ａへの基準値情報とディスク温度情報とを含むゾーン情報の記録が、ディスクＤの記録面部５における複数の環状記録ゾーン６の全部についてなされるまで繰り返され、それにより、ディスクＤの記録面部５における複数の環状記録ゾーン６の夫々に設けられたゾーン情報記録領域６Ａに、その環状記録ゾーン６についての基準値情報及びディスク温度情報を含むゾーン情報が記録されることになる。
【００７５】
その後、動作制御ユニット６５から送出される制御信号ＣＨに応じて、光学ヘッド部２３からの光ビームのディスクＤの記録面部５に対する入射位置がゾーン情報記録領域６ＡＩに到達せしめられるサーチ動作が行われ、斯かるサーチ動作後、記録動作状態が設定される。この記録動作状態のもとでは、動作制御ユニット６５から、記録用レーザパワー制御信号ＣＰＷがパワー制御信号形成部７５に供給され、さらに、動作制御ユニット６５から各環状記録ゾーン６に設けられたゾーン情報記録領域６Ａにゾーン情報が記録されていることをあらわす記録状態情報ＳＲＣが選択部７８に供給されるとともに、動作制御ユニット６５から選択部７８に、動作制御ユニット６５からの記録状態情報ＳＲＣを選択して取り出す動作を行わせるものとされた選択制御信号ＣＳが供給される。
【００７６】
それにより、光学ヘッド部２３からゾーン情報記録領域６ＡＩに入射する記録用の光ビームが、記録用レーザパワー制御信号ＣＰＷに従った光ビームパワー制御を受けるものとされたもとで、動作制御ユニット６５からの記録状態情報ＳＲＣに従った強度変調がなされるものとされて、ゾーン情報記録領域６ＡＩにおける記録状態情報についての書換え記録が行われ、ゾーン情報記録領域６ＡＩの一部分に各環状記録ゾーン６に設けられたゾーン情報記録領域６Ａにゾーン情報が記録されていることをあらわす記録状態情報ＳＲＣが新たに記録される。
【００７７】
一方、動作制御ユニット６５において、再生複合媒体情報ＤＢに含まれる記録状態情報についての再生出力に基づき、各環状記録ゾーン６に設けられたゾーン情報記録領域６Ａにゾーン情報が記録されていることが検知された場合、即ち、ディスクＤがその記録面部５についての実質的な使用が開始された後の状態にある場合にあっては、動作制御ユニット６５は、再生複合媒体情報ＤＢに含まれる温度補正情報を検出して記憶する。
【００７８】
次に、動作制御ユニット６５から送出される制御信号ＣＨに応じて、光学ヘッド部２３からの光ビームのディスクＤの記録面部５に対する入射位置が記録面部５における複数の環状記録ゾーン６のうちの、そのゾーン情報記録領域６Ａに記録された使用状態情報が、当該環状記録ゾーン６がデータ情報の記録に使用されたことをあらわしているもの、即ち、既使用の環状記録ゾーン６の一つに設けられたゾーン情報記録領域６Ａに到達せしめられるサーチ動作が行われ、光学ヘッド部２３によりディスクＤの記録面部５における既使用の環状記録ゾーン６の一つに設けられたゾーン情報記録領域６Ａに記録された基準値情報とディスク温度情報とを含むゾーン情報の読取りが行われる。それにより、情報処理部６９から基準値情報とディスク温度情報とを含むゾーン情報についての再生出力である再生複合ゾーン情報ＤＡが得られて、動作制御ユニット６５に供給される。
【００７９】
動作制御ユニット６５は、再生複合ゾーン情報ＤＡを取り込んで、それに含まれる基準値情報とディスク温度情報とを検出し、それらを記憶する。また、動作制御ユニット６５は、温度検出部７１からの温度検出出力信号ＳＳを取り込み、温度検出出力信号ＳＳが示す温度をあらわす新たなディスク温度情報を記憶する。
【００８０】
そして、動作制御ユニット６５は、記憶された基準値情報についての、再生複合ゾーン情報ＤＡから検出されたディスク温度情報と新たなディスク温度情報と温度補正情報とに基づく温度補正を行い、補正された基準値情報を得る。斯かる基準値情報についての温度補正は、再生複合ゾーン情報ＤＡから検出されたディスク温度情報と新たなディスク温度情報とが夫々あらわすディスク温度の差を求め、基準値情報に対し、求められたディスク温度差をもって温度補正情報に従った補正処理を施すことにより行われる。
【００８１】
続いて、動作制御ユニット６５は、補正された基準値情報を、それがあらわす値より所定の値β（例えば、所定の値αより小）だけ大なる値から所定の値βだけ小なる値までの範囲において複数段階（例えば、６〜７段階）に設定される異なった値を順次あらわす、複数の改変基準値情報に変化させて記憶する。それにより、試し書き記録に際しての記録用の光ビームのパワー変化範囲が設定される。
【００８２】
次に、動作制御ユニット６５から送出される制御信号ＣＨに応じて、光学ヘッド部２３からの光ビームのディスクＤの記録面部５に対する入射位置が、ゾーン情報の読取りが行われたゾーン情報記録領域６Ａを含む既使用の環状記録ゾーン６に設けられた試し書き用記録トラック形成部７に到達せしめられるサーチ動作が行われ、斯かるサーチ動作後、記録動作状態が設定される。この記録動作状態のもとでは、動作制御ユニット６５から、記憶された複数の改変基準値情報に夫々対応する記録用レーザパワー制御信号ＣＰＷが順次パワー制御信号形成部７５に供給され、さらに、動作制御ユニット６５から試し書き情報発生部８０に、試し書き情報ＳＷＲを発生して選択部７８に供給する動作を行わせるための制御信号ＣＷが供給されるとともに、動作制御ユニット６５から選択部７８に、試し書き情報発生部８０から得られる試し書き情報ＳＷＲを選択して取り出す動作を行わせるものとされた選択制御信号ＣＳが供給される。
【００８３】
それにより、光学ヘッド部２３から既使用の環状記録ゾーン６の一つに設けられた試し書き用記録トラック形成部７に入射する記録用の光ビームが、複数の改変基準値情報に夫々対応する記録用レーザパワー制御信号ＣＰＷに従った光ビームパワー制御を受けるものとされたもとで、試し書き情報発生部８０から得られる試し書き情報ＳＷＲに従った強度変調がなされるものとされて、既使用の環状記録ゾーン６の一つに設けられた試し書き用記録トラック形成部７に試し書き情報ＳＷＲが記録される試し書き記録が行われる。
【００８４】
試し書き情報発生部８０からの試し書き情報ＳＷＲの送出が終了して、試し書き記録が完了すると、再び読取り動作状態が設定され、光学ヘッド部２３により試し書き記録が行われた試し書き用記録トラック形成部７からそれに記録された試し書き情報ＳＷＲの読取りが行われる。それにより、試し書き情報再生処理部６７から再生試し書き情報ＳＷＲ’が得られて、それが動作制御ユニット６５に供給される。
【００８５】
動作制御ユニット６５は、再生試し書き情報ＳＷＲ’を取り込んで、例えば、その平均値レベル等に基づいて、試し書き用記録トラック形成部７における記録用の光ビームが最適記録パワーを有したもとでの試し書き記録がなされた部分、即ち、最適試し書き記録部分から再生された再生試し書き情報ＳＷＲ’を検出し、その最適試し書き記録部分に対応する最適改変基準値情報を検知する。斯かる際、最適試し書き記録部分に直接的に対応する最適改変基準値情報が得られない場合には、最適試し書き記録部分の前後の部分に夫々対応する二つの改変基準値情報に関する補間処理を行って、最適改変基準値情報を間接的に得る。
【００８６】
そして、動作制御ユニット６５は、このようにして得た最適改変基準値情報を、ディスクＤの記録面部５における既使用の環状記録ゾーン６の一つについての更新された基準値情報として設定して記憶する。また、この時、動作制御ユニット６５は、温度検出部７１からの温度検出出力信号ＳＳを取込み、温度検出出力信号ＳＳが示す温度をあらわすディスク温度情報を記憶する。
【００８７】
このようにして行われる試し書き記録及び試し書き記録により記録された試し書き情報ＳＷＲの読取りが、ディスクＤの記録面部５における既使用の環状記録ゾーン６の全部についてなされるまで繰り返され、それにより、動作制御ユニット６５において、ディスクＤの記録面部５における既使用の環状記録ゾーン６の夫々についての更新された基準値情報とディスク温度情報とが記憶される。
【００８８】
そして、試し書き記録及び試し書き記録により記録された試し書き情報ＳＷＲの読取りが既使用の環状記録ゾーン６の全部についてなされると、動作制御ユニット６５から送出される制御信号ＣＨに応じて、光学ヘッド部２３からの光ビームのディスクＤの記録面部５に対する入射位置が記録面部５における既使用の環状記録ゾーン６の一つに設けられたゾーン情報記録領域６Ａに到達せしめられるサーチ動作が行われ、斯かるサーチ動作後、記録動作状態が設定される。この記録動作状態のもとでは、動作制御ユニット６５から、更新された基準値情報のうちのサーチされた既使用の環状記録ゾーン６に対応するものに基づく記録用レーザパワー制御信号ＣＰＷがパワー制御信号形成部７５に供給され、さらに、動作制御ユニット６５から、更新された基準値情報及びディスク温度情報のうちのサーチされた既使用の環状記録ゾーン６に対応するものが、ゾーン情報ＳＺとして選択部７８に供給されるとともに、動作制御ユニット６５から選択部７８に、動作制御ユニット６５からのゾーン情報ＳＺを選択して取り出す動作を行わせるものとされた選択制御信号ＣＳが供給される。
【００８９】
それにより、光学ヘッド部２３から既使用の環状記録ゾーン６の一つに設けられたゾーン情報記録領域６Ａに入射する記録用の光ビームが、その環状記録ゾーン６に対応する更新された基準値情報に基づく記録用レーザパワー制御信号ＣＰＷに従った光ビームパワー制御を受けるものとされたもとで、動作制御ユニット６５からのゾーン情報ＳＺに従った強度変調がなされるものとされて、既使用の環状記録ゾーン６の一つに設けられたゾーン情報記録領域６Ａにおけるゾーン情報についての書換え記録が行われ、既使用の環状記録ゾーン６の一つに設けられたゾーン情報記録領域６Ａに更新された基準値情報とディスク温度情報とを含むゾーン情報が新たに記録される。
【００９０】
このようにして行われる既使用の環状記録ゾーン６に設けられたゾーン情報記録領域６Ａへの更新された基準値情報とディスク温度情報とを含むゾーン情報の新たな記録が、ディスクＤの記録面部５における既使用の環状記録ゾーン６の全部についてなされるまで繰り返され、それにより、ディスクＤの記録面部５における既使用の環状記録ゾーン６の夫々に設けられたゾーン情報記録領域６Ａに、その環状記録ゾーン６についての更新された基準値情報及びディスク温度情報を含むゾーン情報が記録されることになる。
【００９１】
上述の如くの動作を行う動作制御ユニット６５は、例えば、マイクロコンピュータが用いられて構成され、その際、マイクロコンピュータがディスクＤが用いられたもとでの試し書き記録処理にあたって実行する制御プログラムは、例えば、図５及び図６に示されるフローチャートによりあらわされるものとされる。
【００９２】
図５に示されるフローチャートによりあらわされる制御プログラムにあっては、スタート後、ステップ８１において、制御信号ＣＭのサーボ制御部６１への送出及び読取り用レーザパワー制御信号ＣＰＲのパワー制御信号形成部７５への送出を行って、読取り動作状態を設定する。続いて、ステップ８２において、ゾーン情報記録領域６ＡＩに対応する制御信号ＣＨをサーボ制御部６１に送出して、光学ヘッド部２３からの光ビームのディスクＤの記録面部５に対する入射位置をゾーン情報記録領域６ＡＩに到達させるサーチ動作が行われる状態となす。
【００９３】
その後、ステップ８３において、情報処理部６９からの再生複合媒体情報ＤＢを取り込み、続くステップ８４において、再生複合媒体情報ＤＢに含まれる記録状態情報ＳＲＣに基づいて、ディスクＤの記録面部５における各環状記録ゾーン６に設けられたゾーン情報記録領域６Ａにゾーン情報（ＳＺ）が記録されているか否かを判断する。
【００９４】
その結果、ゾーン情報が記録されていない場合には、ステップ８５において、再生複合媒体情報ＤＢに含まれる標準値情報（Ｖａ）を検出し、続くステップ８６において、検出された標準値情報（Ｖａ）を、それがあらわす値より所定の値αだけ大なる値から所定の値αだけ小なる値までの範囲において複数段階に設定される異なった値を順次あらわす、複数の改変された標準値情報に変化させて記憶し、試し書き記録に際しての記録用の光ビームのパワー変化範囲を設定する。
【００９５】
次に、ステップ８７において、複数の環状記録ゾーン６のうちの一つに設けられた試し書き用記録トラック形成部７に対応する制御信号ＣＨをサーボ制御部６１に送出して、光学ヘッド部２３からの光ビームのディスクＤの記録面部５に対する入射位置を複数の環状記録ゾーン６のうちの一つに設けられた試し書き用記録トラック形成部７に到達させるサーチ動作が行われる状態となす。
【００９６】
その後、ステップ８８において、記憶された複数の改変された標準値情報（Ｖａ）に夫々対応する記録用レーザパワー制御信号ＣＰＷ，試し書き情報発生部８０に試し書き情報ＳＷＲを発生して選択部７８に供給する動作を行わせるための制御信号ＣＷ、及び、選択部７８に試し書き情報発生部８０から得られる試し書き情報ＳＷＲを選択して取り出す動作を行わせるものとされた選択制御信号ＣＳを送出して、複数の環状記録ゾーン６のうちの一つに設けられた試し書き用記録トラック形成部７に試し書き情報ＳＷＲが記録されることになる試し書き記録が行われる記録動作状態を設定する。
【００９７】
そして、ステップ８９において、試し書き情報発生部８０からの試し書き情報ＳＷＲの送出が終了したか否かを判断する。その結果、試し書き情報ＳＷＲの送出が終了していない場合には、ステップ８８での動作を継続し、試し書き情報ＳＷＲの送出が終了したときには、ステップ９０に進む。
【００９８】
ステップ９０においては、読取り用レーザパワー制御信号ＣＰＲをパワー制御信号形成部７５に送出して読取り動作状態を設定し、光学ヘッド部２３により試し書き記録が行われた試し書き用記録トラック形成部７からそれに記録された試し書き情報ＳＷＲの読取りが行われる状態となす。そして、ステップ９１において、試し書き情報再生処理部６７から得られる再生試し書き情報ＳＷＲ’を取込み、続くステップ９２において、再生試し書き情報ＳＷＲ’に基づき、複数の改変された標準値情報中に、最適試し書き記録部分に対応する最適改変標準値情報が有るか否かを判断する。
【００９９】
ステップ９２での判断の結果、最適改変標準値情報が有る場合には、ステップ９４に直接的に進み、また、最適改変標準値情報が無い場合、即ち、最適改変標準値情報が直接的には得られない場合には、ステップ９３において、最適試し書き記録部分の前後の部分に夫々対応する二つの改変された標準値情報に関する補間処理を行って、最適改変標準値情報を間接的に得た後、ステップ９４に進む。ステップ９４においては、得られた最適改変標準値情報を基準値情報（Ｖｂ）として設定する。さらに、ステップ９５において、温度検出部７１からの温度検出出力信号ＳＳを取り込み、温度検出出力信号ＳＳが示す温度をあらわすディスク温度情報（Ｔｓ）を記憶する。
【０１００】
次に、ステップ９６において、試し書き記録及び試し書き記録により記録された試し書き情報ＳＷＲの読取りが、ディスクＤの記録面部５における複数の環状記録ゾーン６の全部についてなされたか否かを判断し、複数の環状記録ゾーン６の全部についてなされていない場合には、ステップ８７に戻って、それ以降の各ステップを繰り返し、複数の環状記録ゾーン６の全部についてなされた場合には、ステップ９７に進む。
【０１０１】
ステップ９７においては、複数の環状記録ゾーン６のうちの一つに設けられたゾーン情報記録領域６Ａに対応する制御信号ＣＨをサーボ制御部６１に送出して、光学ヘッド部２３からの光ビームのディスクＤの記録面部５に対する入射位置を複数の環状記録ゾーン６のうちの一つに設けられたゾーン情報記録領域６Ａに到達させるサーチ動作が行われる状態となす。
【０１０２】
その後、ステップ９８において、記憶された基準値情報（Ｖｂ）のうちのサーチされた環状記録ゾーン６に対応するものに応じた記録用レーザパワー制御信号ＣＰＷ，記憶された基準値情報（Ｖｂ）及びディスク温度情報（Ｔｓ）のうちのサーチされた環状記録ゾーン６に対応するものに基づくゾーン情報ＳＺ、及び、選択部７８にゾーン情報ＳＺを選択して取り出す動作を行わせるものとされた選択制御信号ＣＳを送出して、複数の環状記録ゾーン６のうちの一つに設けられたゾーン情報記録領域６Ａに、基準値情報（Ｖｂ）とディスク温度情報（Ｔｓ）とを含むゾーン情報ＳＺが記録されることになる記録動作状態を設定する。
【０１０３】
続いて、ステップ９９において、環状記録ゾーン６に設けられたゾーン情報記録領域６Ａへの基準値情報（Ｖｂ）とディスク温度情報（Ｔｓ）とを含むゾーン情報ＳＺの記録が、ディスクＤの記録面部５における複数の環状記録ゾーン６の全部について行われたか否かを判断し、複数の環状記録ゾーン６の全部については行われていない場合には、ステップ９７に戻ってステップ９７及び９８を繰り返し、複数の環状記録ゾーン６の全部について行われた場合には、ステップ１００に進む。
【０１０４】
ステップ１００においては、ゾーン情報記録領域６ＡＩに対応する制御信号ＣＨをサーボ制御部６１に送出して、光学ヘッド部２３からの光ビームのディスクＤの記録面部５に対する入射位置をゾーン情報記録領域６ＡＩに到達させるサーチ動作が行われる状態となす。そして、ステップ１０１において、記録用レーザパワー制御信号ＣＰＷ，各環状記録ゾーン６に設けられたゾーン情報記録領域６Ａにゾーン情報が記録されていることをあらわすものとされた記録状態情報ＳＲＣ、及び、選択部７８に記録状態情報ＳＲＣを選択して取り出す動作を行わせるものとされた選択制御信号ＣＳを送出して、ゾーン情報記録領域６ＡＩにおいて記録状態情報ＳＲＣについての書換え記録が行われ、ゾーン情報記録領域６ＡＩに、各環状記録ゾーン６に設けられたゾーン情報記録領域６Ａにゾーン情報が記録されていることをあらわすものとされた記録状態情報ＳＲＣが、記録されることになる記録動作状態を設定して、プログラムを終了する。
【０１０５】
また、ステップ８４での判断の結果、ゾーン情報が記録されている場合には、ステップ１０３において、再生複合媒体情報ＤＢに含まれる温度補正情報（ＴＫ）を検出して記憶し、続くステップ１０４において、基準値処理を行い、情報処理部６９からの再生複合ゾーン情報ＤＡに含まれるものとして検知される基準値情報に温度補正が施されたものとされる、補正された基準値情報（Ｖｂ’）を得る（基準値処理については、後に、図６に示されるフローチャートが参照されての説明がなされる）。
【０１０６】
そして、ステップ１０５において、補正された基準値情報（Ｖｂ’）を、それがあらわす値より所定の値βだけ大なる値から所定の値βだけ小なる値までの範囲において複数段階に設定される異なった値を順次あらわす、複数の改変された基準値情報に変化させて記憶し、試し書き記録に際しての記録用の光ビームのパワー変化範囲を設定する。
【０１０７】
次に、ステップ１０６において、複数の環状記録ゾーン６のうちの、そのゾーン情報記録領域６Ａに記録された使用状態情報が当該環状記録ゾーン６がデータ情報の記録に使用されたことをあらわしているもの、即ち、既使用の環状記録ゾーン６の一つに設けられた試し書き用記録トラック形成部７に対応する制御信号ＣＨをサーボ制御部６１に送出して、光学ヘッド部２３からの光ビームのディスクＤの記録面部５に対する入射位置を既使用の環状記録ゾーン６の一つに設けられた試し書き用記録トラック形成部７に到達させるサーチ動作が行われる状態となす。
【０１０８】
その後、ステップ１０７において、記憶された複数の改変された基準値情報（Ｖｂ’）に夫々対応する記録用レーザパワー制御信号ＣＰＷ，試し書き情報発生部８０に試し書き情報ＳＷＲを発生して選択部７８に供給する動作を行わせるための制御信号ＣＷ、及び、選択部７８に試し書き情報発生部８０から得られる試し書き情報ＳＷＲを選択して取り出す動作を行わせるものとされた選択制御信号ＣＳを送出して、既使用の環状記録ゾーン６の一つに設けられた試し書き用記録トラック形成部７に試し書き情報ＳＷＲが記録されることになる試し書き記録が行われる記録動作状態を設定する。
【０１０９】
そして、ステップ１０８において、試し書き情報発生部８０からの試し書き情報ＳＷＲの送出が終了したか否かを判断する。その結果、試し書き情報ＳＷＲの送出が終了していない場合には、ステップ１０７での動作を継続し、試し書き情報ＳＷＲの送出が終了したときには、ステップ１０９に進む。
【０１１０】
ステップ１０９においては、読取り用レーザパワー制御信号ＣＰＲをパワー制御信号形成部７５に送出して読取り動作状態を設定し、光学ヘッド部２３により試し書き記録が行われた試し書き用記録トラック形成部７からそれに記録された試し書き情報ＳＷＲの読取りが行われる状態となす。そして、ステップ１１０において、試し書き情報再生処理部６７から得られる再生試し書き情報ＳＷＲ’を取込み、続くステップ１１１において、再生試し書き情報ＳＷＲ’に基づき、複数の改変された基準値情報中に、最適試し書き記録部分に対応する最適改変基準値情報が有るか否かを判断する。
【０１１１】
ステップ１１１での判断の結果、最適改変基準値情報が有る場合には、ステップ１１３に直接的に進み、また、最適改変基準値情報が無い場合、即ち、最適改変基準値情報が直接的には得られない場合には、ステップ１１２において、最適試し書き記録部分の前後の部分に夫々対応する二つの改変された基準値情報に関する補間処理を行って、最適改変基準値情報を間接的に得た後、ステップ１１３に進む。ステップ１１３においては、得られた最適改変基準値情報を更新された基準値情報（Ｖｂ）として設定する。さらに、ステップ１１４において、温度検出部７１からの温度検出出力信号ＳＳを取り込み、温度検出出力信号ＳＳが示す温度をあらわすディスク温度情報（Ｔｓ）を記憶する。
【０１１２】
次に、ステップ１１５において、試し書き記録及び試し書き記録により記録された試し書き情報ＳＷＲの読取りが、ディスクＤの記録面部５における既使用の環状記録ゾーン６の全部についてなされたか否かを判断し、既使用の環状記録ゾーン６の全部についてなされていない場合には、ステップ１０４に戻って、それ以降の各ステップを繰り返し、既使用の環状記録ゾーン６の全部についてなされた場合には、ステップ１１６に進む。
【０１１３】
ステップ１１６においては、既使用の環状記録ゾーン６の一つに設けられたゾーン情報記録領域６Ａに対応する制御信号ＣＨをサーボ制御部６１に送出して、光学ヘッド部２３からの光ビームのディスクＤの記録面部５に対する入射位置を既使用の環状記録ゾーン６のうちの一つに設けられたゾーン情報記録領域６Ａに到達させるサーチ動作が行われる状態となす。
【０１１４】
その後、ステップ１１７において、更新された基準値情報（Ｖｂ）のうちのサーチされた既使用の環状記録ゾーン６に対応するものに応じたレーザパワー制御信号ＣＰＷ，更新された基準値情報（Ｖｂ）及びディスク温度情報（Ｔｓ）のうちのサーチされた既使用の環状記録ゾーン６に対応するものに基づくゾーン情報ＳＺ、及び、選択部７８にゾーン情報ＳＺを選択して取り出す動作を行わせるものとされた選択制御信号ＣＳを送出して、既使用の環状記録ゾーン６の一つに設けられたゾーン情報記録領域６Ａにおけるゾーン情報ＳＺの更新記録が行われ、既使用の環状記録ゾーン６の一つに設けられたゾーン情報記録領域６Ａに、更新された基準値情報（Ｖｂ）とディスク温度情報（Ｔｓ）とを含むゾーン情報ＳＺが新たに記録されることになる記録動作状態を設定する。
【０１１５】
続いて、ステップ１１８において、環状記録ゾーン６に設けられたゾーン情報記録領域６Ａへの更新された基準値情報（Ｖｂ）とディスク温度情報（Ｔｓ）とを含むゾーン情報ＳＺの新たな記録が、ディスクＤの記録面部５における既使用の環状記録ゾーン６の全部について行われたか否かを判断し、既使用の環状記録ゾーン６の全部については行われていない場合には、ステップ１１６に戻ってステップ１１６及び１１７を繰り返し、既使用の環状記録ゾーン６の全部について行われた場合には、プログラムを終了する。
【０１１６】
なお、上述の如くにして行われる試し書き記録処理が終了した後には、少なくとも一つの環状記録ゾーン６に対するデータ情報ＤＲについての記録が、当該環状記録ゾーン６におけるゾーン情報記録領域６Ａに記録された基準値情報に応じた光ビームパワー制御を受けて、最適記録パワーを有するものとされた記録用の光ビームにより行われる。その際、データ情報ＤＲについての記録がなされた環状記録ゾーン６が始めて使用されたものである場合には、当該環状記録ゾーン６におけるゾーン情報記録領域６Ａに記録された使用状態情報についての書換え記録が行われ、使用状態情報が当該環状記録ゾーン６がデータ情報の記録に使用されたことをあらわすものとされるが、斯かる環状記録ゾーン６におけるゾーン情報記録領域６Ａに記録された使用状態情報についての書換え記録は、図示が省略されているが、動作制御ユニット６５から環状記録ゾーン６がデータ情報の記録に使用されたことをあらわすものとされた使用状態情報が選択部７８に供給されるもとで、ゾーン情報記録領域６ＡＩにおける記録状態情報ＳＲＣの書換え記録の場合と同様に行われる。
【０１１７】
図５に示されるフローチャートによりあらわされる制御プログラムにおけるステップ１０４において行われる基準値処理は、例えば、図６に示されるフローチャートによりあらわされる制御プログラムに従ってなされる。
【０１１８】
図６のフローチャートによりあらわされる制御プログラムにおいては、スタート後、ステップ１２１において、状態フラッグＦｔが“０”に設定され、続くステップ１２２において、既使用の環状記録ゾーン６の一つに設けられたゾーン情報記録領域６Ａに対応する制御信号ＣＨをサーボ制御部６１に送出して、光学ヘッド部２３からの光ビームのディスクＤの記録面部５に対する入射位置を既使用の環状記録ゾーン６の一つに設けられたゾーン情報記録領域６Ａに到達させるサーチ動作が行われる状態となす。
【０１１９】
その後、ステップ１２３において、読取り用レーザパワー制御信号ＣＰＲをパワー制御信号形成部７５に送出して、既使用の環状記録ゾーン６の一つに設けられたゾーン情報記録領域６Ａに記録された基準値情報とディスク温度情報とを含むゾーン情報が読み取られることになる読取り動作状態を設定し、それにより、情報処理部６９から得られる再生複合ゾーン情報ＤＡを取り込む。続いて、ステップ１２４において、再生複合ゾーン情報ＤＡに含まれるゾーン情報を形成する基準値情報（Ｖｂ）とディスク温度情報（Ｔｓ）とを検出して記憶する。さらに、ステップ１２５において、温度検出部７１からの温度検出出力信号ＳＳを取り込み、温度検出出力信号ＳＳが示す温度をあらわすディスク温度情報（Ｔｓ）を記憶する。
【０１２０】
そして、ステップ１２６において、状態フラッグＦｔが“１”であるか否かを判断し、状態フラッグＦｔが“１”でない場合には、ステップ１２７において、記憶された基準値情報（Ｖｂ）についての、再生複合ゾーン情報ＤＡから検出されたディスク温度情報（Ｔｓ）と新たなディスク温度情報（Ｔｓ）と温度補正情報（ＴＫ）とに基づく温度補正を行い、補正された基準値情報（Ｖｂ’）を得る。
【０１２１】
続いて、ステップ１２８において、状態フラッグＦｔが“１”であるか否かを判断し、状態フラッグＦｔが“１”である場合には、ステップ１２５に戻り、状態フラッグＦｔが“１”でない場合には、ステップ１２９において、状態フラッグＦｔを“１”に設定した後、ステップ１２５に戻る。
【０１２２】
また、ステップ１２６での判断の結果、状態フラッグＦｔが“１”である場合には、ステップ１３０において、温度検出部７１からの温度検出出力信号ＳＳを取り込み、温度検出出力信号ＳＳが示す温度をあらわすディスク温度情報（Ｔｓ）を得て、ディスク温度情報Ｔｓの変化が所定以上であるか否かを判断する。その結果、ディスク温度情報Ｔｓの変化が所定以上である場合には、ステップ１２７に進み、ディスク温度情報Ｔｓの変化が所定以上でない場合には、ステップ１３１において、ステップ１２７で補正された基準値情報（Ｖｂ’）が得られてから所定時間が経過したか否かを判断する。その結果、所定時間が経過していなければステップ１２５に戻り、所定時間が経過していれば、プログラムを終了する。
【０１２３】
【発明の効果】
以上の説明から明らかな如く、本発明に係る情報記録再生装置もしくは情報記録再生装置による試し書き方法によれば、ディスク装着部に装着されてディスク回転駆動部により回転せしめられるディスク状記録媒体についての試し書き記録処理が行われるべきとき、ディスク状記録媒体がその記録面部についての実質的な使用が開始される状況におかれる場合には、複数の環状記録ゾーンのいずれにおけるゾーン情報記録領域もゾーン情報が記録されていない状態にあって、例えば、全環状記録ゾーンを対象とした試し書き記録処理が行われることになり、この全環状記録ゾーンを対象とした試し書き記録処理は、ゾーン情報記録領域のうちの一つから読み出された標準値情報に基づく光ビームパワー制御を受けた光ビームが各環状記録ゾーンに入射せしめられて、試し書き記録が行われ、さらには、それにより環状記録ゾーンに記録された情報が読み取られて得られる読取出力信号の状態に応じたものとされる基準値情報を含むゾーン情報が、各環状記録ゾーンにおけるゾーン情報記録領域に記録されることにより実施される。
【０１２４】
また、ディスク装着部に装着されてディスク回転駆動部により回転せしめられるディスク状記録媒体についての試し書き記録処理が行われるべきとき、ディスク状記録媒体がその記録面部についての実質的な使用が開始された後の状態にある場合にあっては、各環状記録ゾーンにおけるゾーン情報記録領域にはゾーン情報が記録されていて、所定の環状記録ゾーンを対象とした試し書き記録処理が行われることになり、この所定の環状記録ゾーンを対象とした試し書き記録処理は、例えば、当該環状記録ゾーンに設けられたゾーン情報記録領域から読み取られた基準値情報に基づく光ビームパワー制御を受けた光ビームが当該環状記録ゾーンに入射せしめられて、試し書き記録が行われ、さらには、それにより環状記録ゾーンに記録された情報が読み取られて得られる読取出力信号の状態に応じたものとされる更新された基準値情報を含むゾーン情報が、当該環状記録ゾーンにおけるゾーン情報記録領域に記録されることにより実施され、斯かる試し書き記録処理は、例えば、実質的な使用がなされていない未使用状態にある環状記録ゾーンについては実施されない。
【０１２５】
このようにされることにより、ディスク状記録媒体における環状記録ゾーンに対する情報の記録に際して行われる試し書き記録処理の回数が低減されるとともに、１回の試し書き記録処理に要される時間が効果的に短縮され、かつ、試し書き記録処理における精度の向上が図られることになり、さらに、各環状記録ゾーンにおける試し書き用記録部分とそれ以外の情報記録がなされる部分との間の書換え使用回数の差が小とされることになる。
【０１２６】
また、特に、本発明に係る情報記録再生装置にあっては、ディスク状記録媒体についての試し書き記録処理が行われるべきときには、ディスク状記録媒体がその記録面部についての実質的な使用が開始される状況におかれる場合における各環状記録ゾーンを対象にした試し書き記録処理、あるいは、ディスク状記録媒体がその記録面部についての実質的な使用が開始された後の状態にある場合における所定の環状記録ゾーンを対象にした試し書き記録処理が、パワー制御部及び動作状態制御部が主導的な役割を果たすものとされるもとで、確実に実行される。
【図面の簡単な説明】
【図１】本発明に係る情報記録再生装置もしくは情報記録再生装置による試し書き方法に使用されるディスク状記録媒体の一例の説明に供される概略構成図である。
【図２】図１に示されるディスク状記録媒体の部分を拡大して示す部分拡大概略構成図である。
【図３】本発明に係る情報記録再生装置によるた試し書き方法の実施に用いられる、本発明に係る情報記録再生装置の一例の要部の構成を示すブロック構成図である。
【図４】図３に示される本発明に係る情報記録再生装置の一例の要部における光学ヘッド部の具体構成例を示す概略構成図である。
【図５】図３に示される本発明に係る情報記録再生装置の一例における動作制御ユニットがマイクロコンピュータが用いられて構成される場合における、当該マイクロコンピュータが試し書き記録処理にあたって実行する制御プログラムをあらわすフローチャートである。
【図６】図３に示される本発明に係る情報記録再生装置の一例における動作制御ユニットがマイクロコンピュータが用いられて構成される場合における、当該マイクロコンピュータが試し書き記録処理にあたって実行する制御プログラムをあらわすフローチャートである。
【図７】ディスク状記録媒体に光ビームによる情報記録がなされるにあたっての、動作時間とディスク状記録媒体の周囲温度との関係をあらわすグラフである。
【図８】ディスク状記録媒体に光ビームによる情報記録がなされるにあたっての、動作時間と光ビームについての最適記録パワーとの関係をあらわすグラフである。
【図９】ディスク状記録媒体に光ビームによる情報記録がなされるにあたっての、使用回数と光ビームについての最適記録パワーとの関係をあらわすグラフである。
【符号の説明】
Ｄ    ディスク
１    中央孔
２    記録面形成部
５    記録面部
６    環状記録ゾーン
６Ａ    ゾーン情報記録領域
７    試し書き用記録トラック形成部
２１    ディスク装着部
２２    ディスク回転駆動部
２３    光学ヘッド部
２４    磁界発生部
２５    ヘッド駆動機構
３０    レーザ光源
３３    対物レンズ
３４    フォーカス調整用駆動コイル
３５    トラッキング調整用駆動コイル
３８    レーザ駆動部
４３    偏光ビームスプリッタ
４６，５２，５４    感光部
６０    読取信号処理部
６１    サーボ制御部
６２    アドレスデコーダ部
６３    再生増幅部
６５    動作制御ユニット
６７    試し書き情報再生処理部
６８    デコーダ部
６９    情報処理部
７１    温度検出部
７２    操作ブロック
７５    パワー制御信号形成部
７７    エンコーダ部
７８    選択部
７９    記録信号形成部
８０    試し書き情報発生部
【図１】
0003612768.tif 000002
【図２】
0003612768.tif 000003
【図３】
0003612768.tif 000004
【図４】
0003612768.tif 000005
【図５】
0003612768.tif 000006
【図６】
0003612768.tif 000007
【図７】
0003612768.tif 000008
【図８】
0003612768.tif 000009
【図９】
0003612768.tif 000010